(57)【要約】【課題】操作部の隙間から侵入する異物が、操作部電子基板実装部品の動作を妨げることがない画像形成装置を提供すること。【解決手段】電子基板上にスイッチを略密閉するカバーを有し、カバーはユーザーが操作するキーの押圧動作に応じて動作する形状で構成された操作部にすることで、操作部の隙間から侵入する異物がスイッチへの侵入を防ぎ、スイッチの動作を良好にすることを可能とした。【選択図】図６
2019040742.tif 000002
【特許請求の範囲】
【請求項１】
装置の操作を行う操作部（１０１）を有し、前記操作部が装置本体に支持された画像形成装置（１００）において、
前記操作部は外装カバー（６）と、装置の操作を行うキー（２）と、キー（２）の押下方向に備えたスイッチ（４）と、電子基板（３）と、を備え、
カバー（５）は、電子基板（３）側に付勢される第１の弾性部（５ｂ）と、キー（２）の動作に応じて変形可能な第２の弾性部（５ｃ）を有し、前記カバー（５）は前記スイッチ（４）を密閉させることを特徴とするように構成した画像形成装置。
【請求項２】
カバー（５）はキー（２）によって位置決めされる請求項１に記載の画像形成装置。
【発明の詳細な説明】
【技術分野】
【０００１】
本発明は、画像を形成して記録媒体に記録する画像形成部を有する複写機、ファクシミリ、多機能プリンタ等の画像形成装置および画像読取装置に関する。
【背景技術】
【０００２】
複写機やレーザビームプリンタ等の電子写真方式の画像形成装置では、装置の表面に操作パネル部が搭載されている。
【０００３】
通常、画像形成装置の操作パネル部は、外部に露出して設置されているため、塵・埃・紙粉などの異物が操作パネル部上面に堆積してしまう。
【０００４】
その場合、操作パネル表面に堆積した塵・埃・紙粉などの異物が操作パネルに設けられた、キー周辺に形成される穴部から操作パネル内部に侵入してしまう。操作パネル内部に設けられた制御基板上に設置されたスイッチ内部の接点部に異物が入り、接点不良が発生し、故障の原因となった。
【０００５】
画像形成装置の操作パネル部表面に塵・埃・紙粉などの異物が堆積することを防止する方法として、特許文献１に示すファクシミリ装置のように、操作パネル部上面をトレイで覆って埃よけとする手段が提案されている。
【０００６】
特許文献１に示す構成を備えたファクシミリ装置の断面図を図７に示す。特許文献１に提案されている構成をとることで、操作パネル部表面への塵・埃・紙粉などの異物の堆積を防止し、装置内部への異物の侵入を防ぐことで装置の故障を防止することができる。
【先行技術文献】
【特許文献】
【０００７】
【特許文献１】特開２００８−１１４６６号公報
【発明の概要】
【発明が解決しようとする課題】
【０００８】
しかしながら、上記のファクシミリ装置の場合、トレイを原稿供給台として使用する場合、操作パネル表面は露出するため、塵・埃・紙粉などの異物が堆積することを防止できない。
【０００９】
また、トレイ使用後にトレイを収納しなかった場合、操作部表面を覆う役割を果たさないため、操作パネル表面に塵・埃・紙粉などの異物が堆積することを防止できず、カバーやキー周辺に形成される穴部からの隙間から、操作部内に塵・埃・紙粉等、小粒子系の異物が侵入してしまう恐れがある。
【課題を解決するための手段】
【００１０】
上記の課題を解決するために、本発明に係る画像形成装置は、
装置の操作を行う操作部（１０１）を有し、前記操作部が装置本体に支持された画像形成装置（１００）において、
前記操作部は外装カバー（６）と、装置の操作を行うキー（２）と、キー（２）の押下方向に備えたスイッチ（４）と、電子基板（３）と、を備え、
カバー（５）は、電子基板（３）側に付勢される第１の弾性部（５ｂ）と、キー（２）の動作に応じて変形可能な第２の弾性部（５ｃ）を有し、前記カバー（５）は前記スイッチ（４）を略密閉させることを特徴とする。
【発明の効果】
【００１１】
本発明に係る画像形成装置によれば、操作部内部のスイッチをカバーによって略密閉することによって、異物がスイッチに到達することを抑制できる。
【図面の簡単な説明】
【００１２】
【図１】操作部を有した画像形成装置の全体図
【図２】本実施例である操作パネル部の構成図
【図３】本実施例である操作部のキー部を示す部分的な斜視図
【図４】本実施例である操作部のキーとカバーの特徴を示す部分的な斜視図
【図５】本実施例である操作部の断面図
【図６】本実施例である操作部の断面図
【図７】従来例の図
【発明を実施するための形態】
【００１３】
以下に、本発明の実施の形態を、図面を参照しながら具体的に説明をする。
【実施例１】
【００１４】
（画像読取装置の概略構成の説明）
図１を用いて操作部を使用した画像形成装置の動作と操作部の位置関係を説明する。なお、画像形成装置単体の動作については広く知られた装置により、説明を省略する。
【００１５】
電子写真方式の画像形成装置（１００）では、装置の表面に操作パネル部（１０１）が搭載されている。通常、操作パネル部は、外部に露出して設置されている。操作部は搭載される画像形成装置によって位置や角度が変更できるものもある。
【００１６】
（操作パネル部の概略構成の説明）
図２、３を用いて操作パネル部の概略構成を説明する。
【００１７】
操作パネル部は外装カバー（６）とキー（２）、表示部ユニット（９）、電子基板（３）、スイッチ（４）から構成される。
【００１８】
キー（２）は外装カバー（６）に設けられた突起形状（６ａ）にキーに設けた穴形状（２ｃ）を嵌合させることで外装カバー（６）に対し位置が固定される。
【００１９】
また、電子基板（３）は外装カバー（６）に対して不図示のビスにより固定されている。
【００２０】
ユーザーが画像形成装置（１００）に対して操作を行う場合、ユーザーは操作部（１０１）に配置されているキー（２）を押圧し、それによって操作部（１０１）内部の電子基板（３）に配置されたスイッチ（４）（本実施例ではタクトスイッチとする）が押圧され、画像形成装置（１００）に信号が発信される。
【００２１】
（本発明の特徴部分の説明）
本発明の特徴部分の説明を、図４を用いて説明する。
【００２２】
図４に示すように電子基板（３）に設置されたスイッチ（４）を覆うカバー（５）が、操作部（１０１）内に配置されている。カバー（５）はキー（２）に設けられた段付きの突起形状（２ａ）にカバー（５）に設けた穴形状（５ａ）を嵌合させることでキー（２）に対して位置が固定される。また、カバー（５）は弾性特性を持つ腕形状（５ｂ）を有しており、キー（２）に設けられた段付きの突起形状（２ａ）と電子基板（３）との間で常に電子基板（３）側に付勢されている。それによりスイッチ（４）に対してカバー（５）の密閉性を高めることができる。
【００２３】
さらに、図５、６に示すようにキー（２）はカバー（５）を押圧する形状（２ｂ）を有しており、カバー（５）のキー（２）によって押圧される部分の形状（５ｃ）は弾性特性を有している。そのため、キー（２）の押圧動作に同期してカバー（５ｃ）が動作する。よって電子基板（３）に配置されたスイッチ（４）を押圧することができる。
【００２４】
図４〜６に示すような構成をとることで、操作部（１０１）に侵入した異物が、スイッチ（４）内部に侵入することを防ぐことができる。
【００２５】
本実施例では、カバー（５）はキー（２）により位置決めされているが、外装カバー（６）や電子基板で行っても良い。また、付勢する手段も同様に、単独で行っても、外装カバー（６）などを用いても良い。
【符号の説明】
【００２６】
１００  画像形成装置、１０１  操作部、２  キー、
２ａ  キーに設けられた段形状、２ｃ  キーに設けた穴形状、３  電子基板、
４  スイッチ、５  カバー、５ａ  カバーに設けた穴形状、
５ｂ  カバーの弾性特性を持つ腕形状（第１の弾性部）、
５ｃ  カバーのキーによって押圧される弾性特性を持つ形状（第２の弾性部）、
６  外装カバー、６ａ  外装カバー部材に設けられた突起形状、
９  表示部ユニット
【図１】
2019040742.tif 000003
【図２】
2019040742.tif 000004
【図３】
2019040742.tif 000005
【図４】
2019040742.tif 000006
【図５】
2019040742.tif 000007
【図６】
2019040742.tif 000008
【図７】
2019040742.tif 000009